(57)【特許請求の範囲】
【請求項１】
互いに対向する第１端部及び第２端部を有し、かつ内部空間を有する筐体と、
前記内部空間内に配置された除菌ランプと、
前記内部空間内で、前記除菌ランプの外周を取り囲む除菌ランプ保護管とを備え、
前記筐体の前記第１端部には、前記除菌ランプと前記除菌ランプ保護管との間の空間に通じる第１通気口が形成されており、
前記筐体の前記第２端部には、前記除菌ランプと前記除菌ランプ保護管との間の空間に通じる第２通気口が形成されており、
前記除菌ランプは、電装部を有し、
前記第１通気口及び前記第２通気口の少なくとも一方は、平面視において前記電装部の外形線の内側の領域内に位置している、除菌装置。
【請求項２】
前記筐体は、前記内部空間に除菌対象となる流体を導入するために前記筐体の外周面から径方向外側に突き出した導入管と、前記内部空間から流体を排出するために前記筐体の外周面から径方向外側に突き出した排出管とを含み、
平面視において、前記第１通気口及び前記第２通気口の各々の長手方向は、前記導入管及び前記排出管が前記筐体の外周面から延びる方向に交差している、請求項１に記載の除菌装置。
【請求項３】
前記第１端部には、前記内部空間に通じる第１貫通孔が形成されており、
前記筐体は、前記第１貫通孔に挿入された第１挿入部材を含み、
前記第１貫通孔の内径は、前記除菌ランプの外径よりも大きく、
前記第１通気口は前記第１挿入部材に形成されている、請求項１又は２に記載の除菌装置。
【請求項４】
前記第１通気口は前記第１挿入部材の端を跨ぐように形成されている、請求項３に記載の除菌装置。
【請求項５】
前記第２端部には、前記内部空間に通じる第２貫通孔が形成されており、
前記筐体は、前記第２貫通孔に挿入された第２挿入部材を含み、
前記第２貫通孔の内径は、前記除菌ランプの外径よりも大きく、
前記第２通気口は前記第２挿入部材に形成されている、請求項３又は４に記載の除菌装置。
【請求項６】
前記第２通気口は前記第２挿入部材の端を跨ぐように形成されている、請求項５に記載の除菌装置。
【請求項７】
前記第１通気口及び前記第２通気口の数は複数である、請求項１〜６のいずれか１項に記載の除菌装置。
【請求項８】
循環経路と、
前記循環経路上に配置された、請求項１〜７のいずれか１項に記載の前記除菌装置とを備える、温水装置。
【発明の詳細な説明】
【技術分野】
【０００１】
本発明は、除菌装置及び温水装置に関する。
【背景技術】
【０００２】
従来から、特開２０１５−１３９７１１号公報（特許文献１）に記載された液体浄化処理装置が知られている。特許文献１に記載の液体浄化処理装置は、紫外線放射ランプと、内部に被処理液体が流れる処理路を有し、紫外線放射ランプが格納される容器と、容器の内部に配置され、紫外線照射ランプが挿入される保護管と、容器の両端に配置されるキャップとを有している。
【先行技術文献】
【特許文献】
【０００３】
【特許文献１】特開２０１５−１３９７１１号公報
【発明の概要】
【発明が解決しようとする課題】
【０００４】
特許文献１に記載の液体浄化処理装置においては、容器の両端には、キャップが配置されている。すなわち、紫外線放射ランプと保護管の内周面との間の空間は、閉空間となっている。紫外線放射ランプは、使用時に、温度が上昇する。そのため、特許文献１に記載の液体浄化処理装置においては、紫外線照射ランプと保護管の内周面との間の空間が閉空間となっていることにより、紫外線照射ランプが冷却されにくい。
【０００５】
使用中に紫外線照射ランプが適切に冷却されない場合、紫外線照射ランプの寿命が短くなる。また、紫外線照射ランプが適切に冷却されない場合、場合によっては液体浄化処理装置が発火しかねない。
【０００６】
本発明は、このような従来技術の問題点に鑑みてなされたものである。具体的には、本発明は、使用中に除菌ランプを冷却することが可能な除菌装置及び温水装置を提供するものである。
【課題を解決するための手段】
【０００７】
本発明の一態様に係る除菌装置は、互いに対向する第１端部及び第２端部を有し、かつ内部空間を有する筐体と、内部空間内に配置された除菌ランプと、内部空間内で、除菌ランプの外周を取り囲む除菌ランプ保護管とを備える。
【０００８】
筐体の第１端部には、除菌ランプと除菌ランプ保護管との間の空間に通じる第１通気口が形成されており、筐体の第２端部には、除菌ランプと除菌ランプ保護管との間の空間に通じる第２通気口が形成されている。
【０００９】
本発明の一態様に係る除菌装置によると、使用中に除菌ランプを冷却することが可能となる。
【００１０】
上記の除菌装置において、除菌ランプは、端部に電装部を有していてもよい。上記の除菌ランプにおいて、第１通気口又は第２通気口の少なくとも一方は、平面視において、電装部の外形線の内側の領域に位置していてもよい。この場合には、除菌ランプから照射される光が除菌装置の外部に漏れることを抑制することが可能になる。
【００１１】
上記の除菌装置において、筐体は、内部空間に除菌対象となる流体を導入するために筐体の外周面から径方向外側に突き出した導入管と、内部空間から流体を排出するために筐体の外周面から径方向外側に突き出した排出管とを含んでいてもよい。平面視において、第１通気口及び第２通気口の各々の長手方向は、導入管及び排出管が筐体の外周面から延びる方向に交差している。この場合には、除菌ランプから照射される光が、作業者の目に入ることを抑制することが可能となる。
【００１２】
上記の除菌装置において、第１端部に内部空間に通じる第１貫通孔が形成されており、筐体が第１貫通孔に挿入された第１挿入部材を含んでいてもよい。第１貫通孔の内径は、除菌ランプの外径よりも大きく、第１通気口は第１挿入部材に形成されている。上記の除菌装置において、第２端部に内部空間に通じる第２貫通孔が形成されており、筐体が第２貫通孔に挿入された第２挿入部材を含んでいてもよい。第２貫通孔の内径は、除菌ランプの外径よりも大きく、第２通気口は第２挿入部材に形成されている。この場合、使用中に除菌ランプの冷却を可能にしつつ、除菌ランプの交換が容易となる。
【００１３】
上記の除菌装置において、第１通気口は第１挿入部材の端を跨ぐように形成されていてもよい。上記の除菌装置において、第２通気口は第２挿入部材の端を跨ぐように形成されていてもよい。この場合、電装部に接続される配線を第１通気口、第２通気口に容易に通すことができるため、作業性が改善される。
【００１４】
上記の除菌装置において、第１通気口、第２通気口の数は複数であってもよい。この場合、通気口の開口面積が増大することにより、さらに効率的に除菌ランプを冷却することができる。
【００１５】
本発明の一態様に係る温水装置は、循環経路と、循環経路上に配置された、上記の除菌装置とを備える。本発明の一態様に係る温水装置によると、使用中に除菌ランプを冷却することが可能となる。
【発明の効果】
【００１６】
本発明の一態様に係る除菌装置及び温水装置によると、使用中に除菌ランプを冷却することが可能となる。
【図面の簡単な説明】
【００１７】
【図１】実施形態に係る除菌装置の斜視図である。
【図２】図１のＩＩ−ＩＩにおける断面図である。
【図３】実施形態に係る除菌装置の下面図である。
【図４】実施形態の変形例に係る除菌装置の下面図である。
【図５】実施形態に係る温水装置の模式図である。
【発明を実施するための形態】
【００１８】
（実施形態に係る除菌装置）
以下に、実施形態に係る除菌装置について、図１〜図３を参照して説明する。なお、各図中において同一または相当部分には同一符号を付している。また、以下に記載する実施形態の少なくとも一部を任意に組み合わせてもよい。さらに、長さ、幅、厚さ、深さなどの寸法関係は、図面の明瞭化のために適宜変更されており、実際の寸法関係を表すものではない。
【００１９】
以下に実施形態に係る除菌装置の構成について説明する。図１及び図２に示すように、実施形態に係る除菌装置は、筐体１０と、除菌ランプ２と、除菌ランプ保護管１２とを有している。除菌ランプ保護管１２及び除菌ランプ２は、筐体１０の内部空間に配置されている。
【００２０】
筐体１０は、第１端部１０ａと、第２端部１０ｂとを有している。第１端部１０ａは、筐体１０の中心軸線Ａ１の方向における端に位置する部分である。第２端部１０ｂは、第１端部１０ａの反対側の端に位置する部分である。すなわち、第１端部１０ａと第２端部１０ｂとは、筐体１０の端において、互いに対向している。筐体１０は、第１通気口１０ｃと、第２通気口１０ｄとを有している。第１通気口１０ｃは、第１端部１０ａに形成されている。第２通気口１０ｄは、第２端部１０ｂに形成されている。
【００２１】
筐体１０は、導入管１０ｅと、排出管１０ｆとを有していてもよい。筐体１０は、第１貫通孔１０ｇと、第２貫通孔１０ｈとを有していてもよい。筐体１０は、第１挿入部材１０ｉと、第２挿入部材１０ｊとを有していてもよい。
【００２２】
筐体１０は、本体部１と、蓋部材３とを有していてもよい。蓋部材３は、一対となる第１の蓋部材３ａと、第２の蓋部材３ｂとから構成されていてもよい。実施形態に係る除菌装置は、固定部材４をさらに有していてもよい。
【００２３】
なお、第１端部１０ａは第１の蓋部材３ａの外側面３２に対応し、第２端部１０ｂは第２の蓋部材３ｂの外側面３２に対応している。導入管１０ｅは入水部３３ａに対応し、排出管１０ｆは、出水部３３ｄに対応している。第１貫通孔１０ｇは第１の蓋部材３ａのランプ挿入穴３７に対応し、第２貫通孔１０ｈが第２の蓋部材３ｂのランプ挿入穴３７に対応している。第１挿入部材１０ｉ及び第２挿入部材１０ｊは、ランプ固定部材２２に対応している。
【００２４】
以下においては、実施形態に係る除菌装置の構成例として、筐体１０が本体部１と蓋部材３とを有している場合について説明を行う。
【００２５】
本体部１は、筒状の形状を有している。好ましくは、本体部１は、円筒状の形状を有している。すなわち、筐体１０の中心軸線Ａ１に垂直な方向における断面は、円形形状であることが好ましい。本体部１には、例えばステンレス鋼等が用いられる。
【００２６】
本体部１は、内部に流路１１を有している。流路１１には、除菌対象となる流体（例えば、湯水）が流れる。後述する除菌ランプ保護管１２の外周面と本体部１の内周面との間の空間が、流路１１となっている。すなわち、流路１１は、除菌ランプ保護管１２の外周面と本体部１の内周面とにより画されている。
【００２７】
本体部１の内部には、除菌ランプ保護管１２が配置されている。除菌ランプ保護管１２は、流路１１を流れる除菌対象となる流体から、除菌ランプ２を保護するための部材である。除菌ランプ保護管１２は、好ましくは円筒形状を有している。除菌ランプ保護管１２は、本体部１より長さが長い。除菌ランプ保護管１２は、除菌ランプ２から照射される光に対して透明である。除菌ランプ保護管１２には、例えば石英ガラスが用いられる。
【００２８】
本体部１は、本体部１の両端に、端部１ａを有している。端部１ａは、筐体１０の中心軸線Ａ１に平行な方向の端に位置する部分である。端部１ａにおいて、本体部１は開口部１ｂを有している。本体部１は、両方の端部１ａにおいて開口部１ｂを有している。端部１ａは、筐体１０の中心軸線Ａ１に平行な方向からみて、外周方向に広がっている形状を有していることが好ましい。これにより、蓋部材３を本体部１に挿入することが容易となる。
【００２９】
除菌ランプ２は、流体を除菌する光を放出するランプである。好ましくは、除菌ランプ２は、紫外線を放出する蛍光灯である。除菌ランプ２は、紫外線を放出するＬＥＤ（Light  Emitting  Diode）であってもよい。すなわち、除菌ランプ２は、流体を除菌するランプであれば特に限定されない。
【００３０】
除菌ランプ２は、本体部１の内部に配置されている。具体的には、除菌ランプ２は、除菌ランプ保護管１２の内部に挿入されている。このことを別の観点からいえば、除菌ランプ２の外周面は、除菌ランプ保護管１２により取り囲まれている。除菌ランプ２は、筐体１０の中心軸線Ａ１に平行な方向に延伸している形状を有している。除菌ランプ２の端部は、ソケット、電装部品が取り付けられた電装部２１となっている。
【００３１】
第１の蓋部材３ａは、内側面３１と、外側面３２と、外周面３３とを有している。内側面３１は、本体部１に挿入される側の面である。外側面３２は、内側面３１の反対側の面である。外周面３３に、入水部３３ａが設けられている。入水部３３ａは、内部が中空の筒状形状を有している。より具体的には、入水部３３ａの内部は、入水側接続口３３ｂとなっている。入水部３３ａは、第１の蓋部材３ａの外周面３３から径方向外側に延びている。
【００３２】
第１の蓋部材３ａの内側面３１側は、先端部３４となっている。先端部３４は、本体部１の内径に略等しい外径を有している。第１の蓋部材３ａは、先端部３４が本体部１の開口部１ｂに挿入されることにより、開口部１ｂに配置されている。先端部３４と本体部１の端部１ａとの間には、シール部材３５が配置されている。シール部材３５は、例えば、Оリングである。これにより、開口部１ｂが閉じられ、除菌対象となる流体が本体部１から流出することが防止されている。
【００３３】
第１の蓋部材３ａの内部に、キャビティ３６が設けられている。キャビティ３６は、先端部３４よりも外側面３２側に位置している。キャビティ３６は、第１の蓋部材３ａの内側面３１側に開口している。これにより、キャビティ３６は、流路１１と連通している。キャビティ３６の内径は、除菌ランプ保護管１２の外径よりも大きい。その結果、キャビティ３６の内壁３６ａと除菌ランプ保護管１２の外周面との間に空間が形成されている。そのため、入水側接続口３３ｂに注水された除菌対象となる流体は、キャビティ３６を介して本体部１の内部に設けられた流路１１に流れる。
【００３４】
第１の蓋部材３ａの外側面３２側には、ランプ挿入穴３７が設けられている。ランプ挿入穴３７からは、除菌ランプ２が本体部１の内部に挿入される。そのため、ランプ挿入穴３７の内径は、除菌ランプ２の外径よりも大きくなっている。なお、好ましくは、ランプ挿入穴３７は、第１の蓋部材３ａ及び第２の蓋部材３ｂの少なくともいずれか一方に設けられる。
【００３５】
第１貫通孔１０ｇは、筐体１０の内部空間と連通している。すなわち、筐体１０が本体部１及び蓋部材３を有する場合、ランプ挿入穴３７は、キャビティ３６と連通している。ランプ挿入穴３７の内径は、除菌ランプ保護管１２の外径と略等しい。
【００３６】
ランプ挿入穴３７には、除菌ランプ保護管１２の端部が挿入されている。第１の蓋部材３ａと除菌ランプ保護管１２の外周面の間には、シール部材３８が配置されている。より具体的には、ランプ挿入穴３７の内周面と除菌ランプ保護管１２の外周面との間に、シール部材３８が配置されている。シール部材３８は、例えばＯリングである。これにより、第１の蓋部材３ａと除菌ランプ保護管１２の外周面とが水密に封止され、第１の蓋部材３ａから除菌対象となる流体が流出することが防止されている。
【００３７】
筐体１０は、ランプ固定部材２２を有していてもよい。ランプ固定部材２２は、凸部２２ａを有している。凸部２２ａは、ランプ挿入穴３７に挿入されている。凸部２２ａにより、除菌ランプ２がランプ挿入穴３７から抜けてしまうことが防止される。ランプ固定部材２２は、例えばビス等により、第１の蓋部材３ａの外側面３２上に固定されている。ランプ固定部材２２には、例えばＳＰＳ（シンジオタクチックポリスチレン）等が用いられる。
【００３８】
図３に示すように、第１の蓋部材３ａは、第１通気口１０ｃを有している。第１通気口１０ｃは、第１の蓋部材３ａの外側面３２に形成されている。第１通気口１０ｃは、除菌ランプ保護管１２の内周面と除菌ランプ２との間の空間に連通している。筐体１０がランプ固定部材２２を有している場合には、第１通気口１０ｃは、ランプ固定部材２２の凸部２２ａに設けられる。
【００３９】
第１通気口１０ｃは、平面視において（筐体１０の中心軸線Ａ１の方向からみて）、除菌ランプ２の電装部２１の外形線（図３中において、点線により示されている）により画される領域の内側に位置していることが好ましい。第１通気口１０ｃの平面視における形状は、例えば円形、楕円形及び矩形、長円形等である。第１通気口１０ｃの平面視における形状は、長手方向を有する形状（例えば、楕円形、長方形、長円形等）であることが好ましい。
【００４０】
第１通気口１０ｃの平面視における形状が長手方向を有する形状である場合、第１通気口１０ｃの平面視における長手方向（図３中において、一点鎖線Ｂにより示されている）は、入水部３３ａが第１の蓋部材３ａの外周面３３から延びる方向（図３中において、一点鎖線Ｃにより示されている）及び出水部３３ｄが第２の蓋部材３ｂの外周面３３から延びる方向（図３中において、一点鎖線Ｄにより示されている）と交差していることが好ましい。さらに好ましくは、第１通気口１０ｃの平面視における長手方向と入水部３３ａが第１の蓋部材３ａの外周面３３から延びる方向及び出水部３３ｄが第２の蓋部材３ｂの外周面３３から延びる方向とが直交している。
【００４１】
なお、第１通気口１０ｃの平面視における長手方向と入水部３３ａの外周面３３から延びる方向（又は出水部３３ｄの外周面３３から延びる方向）とが直交している場合とは、第１通気口１０ｃの平面視における長手方向と入水部３３ａの外周面３３から延びる方向（又は出水部３３ｄの外周面３３から延びる方向）とがなす角度が９０°±１０°である場合をいう。
【００４２】
図４に示すように、第１通気口１０ｃは、ランプ固定部材２２の端を跨ぐように形成されていてもよい。また、第１通気口１０ｃの数は、複数であってもよい。
【００４３】
第２の蓋部材３ｂは、入水部３３ａ及び入水側接続口３３ｂに代えて出水部３３ｄ及び出水側接続口３３ｅを有している点並びに第１通気口１０ｃに代えて第２通気口１０ｄを有している点を除き、第１の第１の蓋部材３ａと同様の構成を有している。好ましくは、第２の蓋部材３ｂは、第１の蓋部材３ａと同一形状を有している。
【００４４】
第１の第１の蓋部材３ａ及び第２の蓋部材３ｂには、例えば、樹脂材料が用いられている。この樹脂材料は、例えばＳＰＳ等である。
【００４５】
固定部材４は、筐体１０の中心軸線Ａ１の方向から、第１の蓋部材３ａ及び第２の蓋部材３ｂと本体部１とを挟持するように配置されている。これにより、第１の蓋部材３ａ及び第２の蓋部材３ｂは、本体部１に固定されている。固定部材４は、中央部４１と、固定部４２とを有している。中央部４１は、固定部材４の中央に位置し、本体部１の中心軸線方向に沿って延在している。固定部４２は、第１の蓋部材３ａ及び第２の蓋部材３ｂの外側面３２にビス等で固定されている。
【００４６】
固定部材４は、例えば、一枚の板状の部材に対して、プレス金型を用いた曲げ加工を行うことにより形成される。固定部材４には、例えばＳＧＣＣ（溶融亜鉛めっき鋼板）が用いられる。
【００４７】
以下に、実施形態に係る除菌装置の動作について説明する。実施形態に係る除菌装置の導入管１０ｅから筐体１０の内部に、除菌対象となる流体が供給される。この供給された除菌対象となる流体は、筐体１０の内部において除菌ランプ保護管１２の周囲を流れる。
【００４８】
除菌対象となる流体が筐体１０の内部を流れている間、除菌対象となる流体には、除菌ランプ２から紫外線が照射される。これにより、除菌対象となる流体中に含まれる雑菌が除菌される。その後、筐体１０内で除菌された流体は、排出管１０ｆから流れ出る。以上によって、除菌対象となる流体が実施形態に係る除菌装置を通過することにより、除菌処理が行われる。
【００４９】
除菌処理を行っている間には、除菌ランプ２の温度が上昇する。それに伴い、除菌ランプ２の周囲の空気の温度は上昇する。その結果、除菌ランプ２の周囲の空気の密度は、実施形態に係る除菌装置の周囲の空気の密度よりも低くなる。
【００５０】
上記のとおり、筐体１０には、第１通気口１０ｃ及び第２通気口１０ｄが設けられている。第１通気口１０ｃ及び第２通気口１０ｄは、除菌ランプ２と除菌ランプ保護管１２の内周面との間の空間と連通している。そのため、除菌ランプ２の周囲の空気は、第２通気口１０ｄに向かう上昇気流となり、第２通気口１０ｄから外部に排出される。
【００５１】
除菌ランプ２の周囲の空気が第２通気口１０ｄから外部に排出されるに伴い、外部の空気が、第１通気口１０ｃから除菌ランプ保護管１２の内周面と除菌ランプ２との間の空間に吸入される。外部の空気の温度は、除菌ランプ２の周囲の空気よりも温度が低い。そのため、上記の空気の流れにより、除菌ランプ２の冷却が行われる。
【００５２】
以下に、実施形態に係る除菌装置の効果について説明する。上記のとおり、実施形態に係る除菌装置においては、筐体１０が除菌ランプ２と除菌ランプ保護管１２の内周面との間の空間に連通した第１通気口１０ｃ及び第２通気口１０ｄを有している。そのため、実施形態に係る除菌装置によると、除菌ランプ２の周囲の空気が一方の通気口である第２通気口１０ｄから外部に排出され、外部の空気が他方の通気口である第１通気口１０ｃから吸入されるドラフト効果により、使用中に除菌ランプ２を冷却することが可能となる。
【００５３】
実施形態に係る除菌装置において、第１通気口１０ｃ及び第２通気口１０ｄの少なくとも一方が平面視において除菌ランプ２の電装部２１の外形線により画される領域の内側に位置している場合、除菌ランプ２から照射された光が、通気口を通って外部まで到達しにくい。そのため、この場合には、除菌ランプ２から照射される光が除菌装置の外部に漏れることを抑制することが可能になる。
【００５４】
実施形態に係る除菌装置において、第１通気口１０ｃ及び第２通気口１０ｄの平面視における長手方向が、導入管１０ｅ及び排出管１０ｆが筐体１０の外周面から延びる方向と交差している場合、除菌ランプ２から照射される光が、導入管１０ｅ及び排出管１０ｆが筐体１０の外周面から延びる方向に対して漏れにくい。導入管１０ｅ及び排出管１０ｆが筐体１０の外周面から延びる方向には、配管が接続される。そのため、実施形態に係る除菌装置の設置、メンテナンス等を行う作業者は、通常、導入管１０ｅ及び排出管１０ｆが筐体１０の外周面から延びる方向に正対して作業を行う。したがって、この場合、除菌ランプ２から照射される光が、作業者の目に入ることを抑制することが可能となる。
【００５５】
実施形態に係る除菌装置において、筐体１０が第１貫通孔１０ｇ及び第２貫通孔１０ｈ並びに第１挿入部材１０ｉ及び第２挿入部材１０ｊを有している場合、第１挿入部材１０ｉ又は第２挿入部材１０ｊを取り外すのみで除菌ランプ２を交換することが可能となる。そのため、この場合には、使用中に除菌ランプの冷却を可能にしつつ、除菌ランプの交換が容易となる。
【００５６】
実施形態に係る除菌装置において、第１通気口１０ｃ（第２通気口１０ｄ）が第１挿入部材１０ｉ（第２挿入部材１０ｊ）の端を跨ぐように形成されている場合、電装部２１に接続されている配線を第１通気口１０ｃに容易に通すことが可能となり、作業性が改善される。
【００５７】
実施形態に係る除菌装置において、第１通気口１０ｃ（第２通気口１０ｄ）の数が複数である場合、第１通気口１０ｃの開口面積が広くなるため、さらに効率よく除菌ランプを冷却することが可能となる。
【００５８】
（実施形態に係る温水装置）
以下に、実施形態に係る温水装置の一例としての給湯装置の構成について、図５を参照して説明する。実施形態に係る温水装置は、給湯経路５１と、風呂循環経路５２と、注湯経路５３とを有している。
【００５９】
給湯経路５１は、上水を加熱する経路である。給湯経路５１は、配管５１ａと、配管５１ｂと、熱交換器５１ｃとを有している。配管５１ａの一方端は、上水道に接続されている。配管５１ａの他方端は、熱交換器５１ｃの一方端に接続されている。熱交換器５１ｃの他方端は、配管５１ｂの一方端に接続されている。配管５１ｂの他方端は、カラン等に接続されている。熱交換器５１ｃの近傍には、バーナ５１ｄが配置されている。
【００６０】
風呂循環経路５２は、浴槽６中の湯水を加熱する経路である。風呂循環経路５２は、配管５２ａと、配管５２ｂと、配管５２ｃと、除菌装置５２ｄと、熱交換器５２ｅとを有している。除菌装置５２ｄは、上記の実施形態に係る除菌装置である。
【００６１】
配管５２ａの一方端は、除菌装置５２ｄの入水側接続口３３ｂに接続されている。配管５２ａの他方端は、循環アダプタ６１に接続されている。除菌装置５２ｄの出水側接続口３３ｅは、配管５２ｂの一方端に接続されている。配管５２ｂの他方端は、熱交換器５２ｅの一方端に接続されている。熱交換器５２ｅの他方端は、配管５２ｃの一方端に接続されている。配管５２ｃの他方端は、循環アダプタ６１に接続されている。熱交換器５２ｅの近傍には、バーナ５２ｆが配置されている。なお、配管５２ａ上には、循環ポンプ５２ｇが設けられている。なお、除菌装置５２ｄを給湯装置の筐体に取り付ける際には、固定部材４の中央部４１が取り付けのためのガイドとなる。
【００６２】
注湯経路５３は、給湯経路５１から風呂循環経路５２に湯水を流入させる経路である。注湯経路５３の一方端は、給湯経路５１に接続されている。より具体的には、注湯経路５３の一方端は、配管５１ｂに接続されている。注湯経路５３の他方端は、風呂循環経路５２に接続されている。より具体的には、注湯経路５３の他方端は、配管５２ａに接続されている。注湯経路５３上には、注湯弁５３ａが設けられている。
【００６３】
循環アダプタ６１は、浴槽６内に設けられている。循環アダプタ６１は、吐出口と吸込口とを有している。
【００６４】
以下に、実施形態に係る温水装置の一例としての給湯装置の動作について説明する。
まず、給湯動作について説明する。供給された上水は、配管５１ａを介して熱交換器５１ｃに供給される。熱交換器５１ｃに供給された上水は、熱交換器５１ｃにおいて加熱されて湯となる。この湯は、配管５１ｂを介してカラン等へ供給される。
【００６５】
次に、湯張り動作について説明する。供給された上水は、配管５１ａを介して熱交換器５１ｃに供給される。熱交換器５１ｃに供給された上水は、熱交換器５１ｃにおいて加熱されて湯となる。湯張り動作を行っている際には、注湯弁５３ａは開状態となっている。そのため、この湯は、注湯経路５３、配管５２ｃおよび循環アダプタ６１の吐出口を介して浴槽６に供給される。
【００６６】
さらに、除菌動作について説明する。循環ポンプ５２ｇにより、循環アダプタ６１の吸込口から、浴槽６の湯が図中の矢印の方向に吸い上げられる。この吸い上げられた湯は、配管５２ａを介し、除菌装置５２ｄに供給される。除菌装置５２ｄに供給された湯は、除菌装置５２ｄにおいて除菌される。この除菌された湯は、配管５２ｂ、熱交換器５２ｅ、配管５２ｃ、及び循環アダプタ６１の吐出口を介して、浴槽６に戻される。これにより、浴槽６内の湯の除菌が行われる。なお、除菌装置５２ｄにおいて除菌された湯は、熱交換器５２ｅにおいて昇温されてもよい。すなわち、除菌動作は、追い焚き動作中に行われてもよい。
【００６７】
以下に実施形態に係る温水装置の効果について説明する。実施形態に係る温水装置においては、使用中に除菌ランプ２を冷却することが可能となる。
【００６８】
今回開示された実施形態はすべての点で例示であって、制限的なものではないと考えられるべきである。本発明の範囲は上記した実施の形態ではなく特許請求の範囲によって示され、特許請求の範囲と均等の意味、および範囲内でのすべての変更が含まれることが意図される。
【符号の説明】
【００６９】
１  本体部、１ａ  端部、１ｂ  開口部、１０  筐体、１０ａ  第１端部、１０ｂ  第２端部、１０ｃ  第１通気口、１０ｄ  第２通気口、１０ｅ  導入管、１０ｆ  排出管、１０ｇ  第１貫通孔、１０ｈ  第２貫通孔、１０ｉ  第１挿入部材、１０ｊ  第２挿入部材、１１  流路、１２  除菌ランプ保護管、２  除菌ランプ、２１  電装部、２２  ランプ固定部材、３  蓋部材、３ａ  第１の蓋部材、３ｂ  第２の蓋部材、３１  内側面、３２  外側面、３３  外周面、３３ａ  入水部、３３ｂ  入水側接続口、３３ｄ  出水部、３３ｅ  出水側接続口、３４  先端部、３５，３８  シール部材、３６  キャビティ、３６ａ  内壁、３７  ランプ挿入穴、４  固定部材、４１  中央部、４２  固定部、５１  給湯経路、５１ａ，５１ｂ，５２ａ，５２ｂ，５２ｃ  配管、５１ｃ，５２ｅ  熱交換器、５１ｄ，５２ｆ  バーナ、５２  風呂循環経路、５２ｄ  除菌装置、５２ｇ  循環ポンプ、５３  注湯経路、５３ａ  注湯弁、６  浴槽、６１  循環アダプタ、Ａ１  中心軸線。
【図１】
0006733354.tif 000002
【図２】
0006733354.tif 000003
【図３】
0006733354.tif 000004
【図４】
0006733354.tif 000005
【図５】
0006733354.tif 000006